(57)【要約】【課題】波形の表示更新レートを向上できるようにする。【解決手段】ヒストグラムを形成する線画の一端を始点とし、この線画の他端を終点としたとき、データ処理回路３は、入力された波形の振幅値の頻度を計測し、該計測した頻度の度数に対応した長さを有する線画の始点及び終点の有無を設定して始点終点データを生成し、該生成した始点終点データを波形データに付加して始点終点波形データＤ２を生成する。表示処理回路５は、始点終点波形データＤ２から始点と終点とを結んで得られる線画でヒストグラムを生成し、かつ、始点終点波形データＤ２から波形を生成する。これにより、オシロスコープ１００は、ヒストグラム及び波形を同時に表示させるための同期処理を行わずに、当該ヒストグラム及び波形を同時に表示できるようになる。この結果、ＣＰＵの負担を軽減して、ＣＰＵの処理時間の低下を防止でき、波形の表示更新レートが向上できる。【選択図】図１
2011252889.tif 000002
【特許請求の範囲】
【請求項１】
波形を表示するための波形データの特徴を示す線画と、前記波形とを表示する表示装置
において、
前記波形データから前記線画の一端である始点及び前記線画の他端である終点の有無を
設定して始点終点データを生成し、該生成した前記始点終点データを前記波形データに付
加するデータ処理回路と、
前記データ処理回路によって前記波形データに付加された前記始点終点データから前記
始点と前記終点とを結んで前記線画を生成し、かつ、前記波形データから前記波形を生成
する表示処理回路とを備えることを特徴とする表示装置。
【請求項２】
前記波形データは、アナログ波形で構成され、
前記データ処理回路は、
前記アナログ波形の振幅値の頻度を計測し、該計測した前記頻度の度数に対応した長さ
を有する線画の始点及び終点の有無を設定して始点終点データを生成することを特徴とす
る請求項１に記載の表示装置。
【請求項３】
前記波形データは、ロジック信号で構成され、
前記表示処理回路は、
前記ロジック信号のレベルが変化する位置である変化点を検出し、該検出した前記変化
点に基づいて線画の始点及び終点の有無を設定して始点終点データを生成することを特徴
とする請求項１に記載の表示装置。
【請求項４】
波形を表示するための波形データの特徴を示す線画と、前記波形とを表示させる表示処
理方法において、
表示装置が、
前記波形データから前記線画の一端である始点及び前記線画の他端である終点の有無を
設定して始点終点データを生成し、該生成した前記始点終点データを前記波形データに付
加する第１のステップと、
前記第１のステップで前記波形データに付加された前記始点終点データから前記始点と
前記終点とを結んで前記線画を生成し、かつ、前記波形データから前記波形を生成する第
２のステップとを有することを特徴とする表示処理方法。
【発明の詳細な説明】
【技術分野】
【０００１】
本発明は、波形にヒストグラムやバンドル値の枠を重ね合わせて表示させても、その表
示の更新レートを低下させないオシロスコープ等に適用可能な表示装置及び表示処理方法
に関するものである。
【背景技術】
【０００２】
オシロスコープは、例えば、プリント基板や半導体チップ等の端子にプローブを接触さ
せて、当該端子から出力されるアナログ信号やロジック信号等を波形として表示するもの
である。このようなオシロスコープは、波形の表示だけでなく、文字や罫線等の背景も同
時に表示させることが多い。
【０００３】
例えば、特許文献１には、波形データと波形データ以外のデータを重ね合わせて表示す
る表示装置が開示されている。この表示装置によれば、波形データと波形データ以外のデ
ータとの表示優先順位を比較するために、波形データの最下位ビットを表示優先順位比較
用に割り当てるようにしたものである。
【０００４】
例えば、オシロスコープに表示される波形データ以外のデータの一つにはヒストグラム
がある。ヒストグラムとは、オシロスコープに入力されたアナログ信号を演算処理して得
られるものであり、アナログ信号の振幅値の頻度に関する度数分布である。
【０００５】
また、オシロスコープに表示される波形データ以外のデータのもう一つにはバンドル表
示がある。このバンドル表示には、バンドル値及び変化点の表示が含まれる。ここで、バ
ンドル値とは、複数のロジック信号を同期させて測定したロジック値を１６進数、８進数
及び２進数等で表示した値である。変化点とは、同期させた複数のロジック信号のうちい
ずれか１つのロジック信号のレベルが変化した位置（時刻）を表すものである。
【０００６】
次に、従来のヒストグラム機能を有するオシロスコープについて説明する。図１２は、
従来のオシロスコープ１０の構成例を示すブロック図である。図１２に示すように、従来
のオシロスコープ１０は、入力回路１１、Ａ／Ｄ変換部１２、データ処理回路１３、アク
イジションメモリ１４、表示処理回路１５、グラフィックコントローラ１６、ＣＰＵ１７
、ＬＣＤドライバ１８及びカラーＬＣＤ１９で構成される。
【０００７】
入力回路１１は、オシロスコープ１０が有する入力端子ＩＮに入力されたアナログ信号
Ｄ１の電圧振幅値を所定の値に調整する。Ａ／Ｄ変換部１２は、入力回路１１で電圧振幅
が調整されたアナログ信号Ｄ１をデジタル信号に変換する。
【０００８】
データ処理回路１３は、Ａ／Ｄ変換部１２で変換されたデジタル信号に対して各種波形
処理を施して測定データとしてアクイジションメモリ１４に格納する。そして、データ処
理回路１３は、アクイジションメモリ１４に格納した測定データから波形データＤ１０を
生成して表示処理回路１５に出力する。
【０００９】
波形データＤ１０は、例えば、図１３に示すように、ＲＧＢデータによって構成される
。このＲＧＢデータは、カラーＬＣＤ１９に対応する画素毎に設けられる。例えば、カラ
ーＬＣＤ１９の表示画素数が１２８０×６４０ピクセルであれば、波形データＤ１０は、
１２８０×６４０個のＲＧＢデータを有することになる。また、ＲＧＢデータは、例えば
、Ｒ（赤色）、Ｇ（緑色）、Ｂ（青色）それぞれが１２８ビットを有する場合、ＲＧＢそ
れぞれに１２８段階でコントラストを調整できるので、１２８×１２８×１２８の色を表
現することができる。波形データＤ１０は、図示しないメモリに展開され、図１４Ａに示
すように、アナログ波形１９１が例えばビットマップで作成される。
【００１０】
また、データ処理回路１３は、アクイジションメモリ１４に格納した測定データからヒ
ストグラムデータＤ１１を生成してＣＰＵ１７に出力する。ヒストグラムデータＤ１１は
、例えば、図１３に示すように、波形データＤ１０と同様、ＲＧＢデータによって構成さ
れる。
【００１１】
ＣＰＵ１７は、データ処理回路１３によって出力されたヒストグラムデータＤ１１に基
づいてグラフィックコントローラ１６にコマンドデータを出力する。グラフィックコント
ローラ１６は、ＣＰＵ１７によって出力されたコマンドデータに基づいて、ヒストグラム
、バックグラウンド、グリッド、テキスト及びカーソル等が格納される背景データＤ１２
を生成して表示処理回路１５に出力する。
【００１２】
表示処理回路１５は、データ処理回路１３によって出力された波形データＤ１０と、グ
ラフィックコントローラ１６によって出力された背景データＤ１２とを合成して合成画像
信号Ｄ１３を生成する。そして、表示処理回路１５は、生成した合成画像信号Ｄ１３をＬ
ＣＤドライバ１８に出力する。
【００１３】
ＬＣＤドライバ１８は、表示処理回路１５によって出力された合成画像信号Ｄ１３に基
づいてＲＧＢ信号を生成する。そして、ＬＣＤドライバ１８は、生成したＲＧＢ信号をカ
ラーＬＣＤ１９に出力して、このカラーＬＣＤ１９を駆動する。
【００１４】
カラーＬＣＤ１９は、ＬＣＤドライバ１８によって出力されたＲＧＢ信号に基づいて、
波形データＤ１０（図１４Ａ参照）と背景データＤ１２（図１４Ｂ参照）とが重ね合わさ
れた画像（図１４Ｃ参照）を表示する。
【００１５】
図１４Ａ，Ｂ，Ｃは、オシロスコープ１０の表示処理例を示す説明図である。図１４Ａ
に示すように、データ処理回路１３は、アナログ波形１９１を有する波形データＤ１０を
生成する。図１４Ｂに示すように、ＣＰＵ１７は、グラフィックコントローラ１６を制御
して、背景１９２及びヒストグラム１９３を有する背景データＤ１２を生成する。図１４
Ｃに示すように、表示処理回路１５は、波形データＤ１０と背景データＤ１２とを合成し
て、アナログ波形１９１、背景１９２及びヒストグラム１９３を有する合成画像信号Ｄ１
３を生成する。そして、図１４Ｃに示す画像がカラーＬＣＤ１９に表示される。
【００１６】
次に、オシロスコープ１００の動作例を説明する。図１５は、オシロスコープ１０の動
作例を示すフローチャートである。図１５に示すように、ステップＳＴ２１では、アナロ
グ信号Ｄ１が入力回路１１に入力されて、当該入力回路１１によって当該アナログ信号Ｄ
１の電圧振幅が調整される。
【００１７】
ステップＳＴ２２に移行して、電圧振幅が調整されたアナログ信号Ｄ１は、Ａ／Ｄ変換
部１２に入力される。Ａ／Ｄ変換部１２に入力されたアナログ信号Ｄ１は、Ａ／Ｄ変換部
１２によって量子化されてデジタル信号に変換される。
【００１８】
ステップＳＴ２３に移行して、Ａ／Ｄ変換部１２で変換されたデジタル信号は、データ
処理回路１３に入力される。このデジタル信号は、データ処理回路１３によって各種波形
処理される。
【００１９】
ステップＳＴ２４に移行して、データ処理回路１３は、デジタル信号から波形データＤ
１０を生成して表示処理回路１５に出力する。また、データ処理回路１３は、デジタル信
号からヒストグラムデータＤ１１を生成してＣＰＵ１７に出力する。その後、ステップＳ
Ｔ２５及びステップＳＴ２６に移行する。
【００２０】
ステップＳＴ２５では、データ処理回路３で生成された波形データＤ１０は、表示処理
回路１５に入力される。表示処理回路１５は、この波形データＤ１０に基づいて図１４Ａ
で示したアナログ波形１９１を生成する。
【００２１】
ステップＳＴ２６では、データ処理回路１３で生成されたヒストグラムデータＤ１１は
、ＣＰＵ１７に入力される。ＣＰＵ１７は、このヒストグラムデータＤ１１に基づいてグ
ラフィックコントローラ１６にコマンドデータを出力して、当該グラフィックコントロー
ラ１６を制御する。ＣＰＵ１７は、コマンドデータに基づいてグラフィックコントローラ
１６を制御して、図１４Ｂで示したヒストグラム１９３を生成し、当該ヒストグラム１９
３を含む背景を有する背景データＤ１２を表示処理回路１５に出力する。
【００２２】
ステップＳＴ２７に移行して、データ処理回路１３及びＣＰＵ１７に接続している図示
しない制御手段は、当該データ処理回路１３及びＣＰＵ１７を同期処理して、波形データ
Ｄ１０及び背景データＤ１２を同時に表示処理回路１５に入力させる。そして、表示処理
回路１５は、同期処理されてデータ処理回路１３及びＣＰＵ１７から出力された波形デー
タＤ１０及び背景データＤ１２を合成して合成画像信号Ｄ１３を生成する。
【００２３】
ステップＳＴ２８に移行して、表示処理回路１５で生成された合成画像信号Ｄ１３は、
ＬＣＤドライバ１８に入力される。ＬＣＤドライバ１８は、入力された合成画像信号Ｄ１
３に基づいてＲＧＢ信号を生成する。ＲＧＢ信号がカラーＬＣＤ１９に入力されることで
、当該カラーＬＣＤ１９がアナログ波形１９１、背景１９２及びヒストグラム１９３を表
示する。
【先行技術文献】
【特許文献】
【００２４】
【特許文献１】特開２００４−２７１７７８号公報
【発明の概要】
【発明が解決しようとする課題】
【００２５】
ところで、従来のヒストグラム機能を有するオシロスコープは、図１４Ｃで示したよう
に、アナログ波形１９１が表示されると共に、当該アナログ波形１９１に対応したヒスト
グラム１９３が表示されなければならない。そのため、データ処理回路１３及びＣＰＵ１
７を制御手段によって同期させる必要がある。この同期により、ＣＰＵ１７がヒストグラ
ムの処理を実行している間、表示処理回路１５は、アクイジションメモリ１４から演算デ
ータの読み出しを休止しなければならないために、アナログ波形の表示更新レートが低下
してしまう。
【００２６】
また、データ処理回路１３及びＣＰＵ１７がバスで接続されており、ヒストグラムデー
タＤ１１がこのバスを介してＣＰＵ１７に入力されることが、表示処理速度の遅延の原因
となる。更に、オシロスコープ１０は、ＣＰＵ１７を介してヒストグラム１９３を生成し
ているので、ＣＰＵ１７に負担がかかってしまい、当該ＣＰＵ１７の処理時間が低下する
問題がある。
【００２７】
本発明は、このような課題を解決したものであって、オシロスコープに入力された波形
とヒストグラム等の当該波形の特徴を示すものとを同時に表示させるために行っていた同
期処理をなくすことができ、データ処理回路及びＣＰＵ間のバスを削除して、ＣＰＵの処
理時間の低下を防止し、波形の表示更新レートを向上することができる表示装置及び表示
処理方法を提供することを目的とする。
【課題を解決するための手段】
【００２８】
上述の課題を解決するために、本発明に係る表示装置は、波形を表示するための波形デ
ータの特徴を示す線画と、波形とを表示する表示装置において、波形データから線画の一
端である始点及び線画の他端である終点の有無を設定して始点終点データを生成し、該生
成した始点終点データを波形データに付加するデータ処理回路と、データ処理回路によっ
て波形データに付加された始点終点データから始点と終点とを結んで線画を生成し、かつ
、波形データから波形を生成する表示処理回路とを備えることを特徴とするものである。
【００２９】
本発明に係る表示装置では、波形を表示するための波形データの特徴を示す線画の一端
を始点とし、この線画の他端を終点としたとき、データ処理回路は、波形データから線画
の始点及び終点の有無を設定して始点終点データを生成し、該生成した始点終点データを
波形データに付加する。表示処理回路は、データ処理回路によって波形データに付加され
た始点終点データから始点と終点とを結んで線画を生成し、かつ、波形データから波形を
生成する。
【００３０】
これにより、線画及び波形を同時に表示させるための同期処理を行わずに、当該始点と
終点とを結んで得られる線画及び波形とを同時に表示することができるようになる。また
、波形データ及び始点終点データを表示処理回路からデータ処理回路に出力するので、従
来のデータ処理回路及びＣＰＵ間のバスを削除することができるようになる。
【００３１】
また、本発明に係る表示処理方法は、波形を表示するための波形データの特徴を示す線
画と、波形とを表示させる表示処理方法において、表示装置が、波形データから線画の一
端である始点及び線画の他端である終点の有無を設定して始点終点データを生成し、該生
成した始点終点データを波形データに付加する第１のステップと、第１のステップで波形
データに付加された始点終点データから始点と終点とを結んで線画を生成し、かつ、波形
データから波形を生成する第２のステップとを有することを特徴とするものである。
【００３２】
本発明に係る表示処理方法では、波形を表示するための波形データの特徴を示す線画の
一端を始点とし、この線画の他端を終点としたとき、波形データから線画の始点及び終点
の有無を設定して始点終点データを生成し、該生成された始点終点データを波形データに
付加する。波形データに付加された始点終点データから始点と終点とを結んで線画を生成
し、かつ、波形データから波形を生成する。これにより、線画及び波形を同時に表示させ
るための同期処理を行わずに、当該始点と終点とを結んで得られる線画及び波形を同時に
表示することができるようになる。
【発明の効果】
【００３３】
本発明に係る表示装置によれば、線画及び波形を同時に表示させるための同期処理を行
わずに、当該線画及び波形を同時に表示することができるので、ＣＰＵの負担を軽減する
ことができ、ＣＰＵの処理時間の低下を防止することができる。また、従来のデータ処理
回路及びＣＰＵ間のバスを削除することができるので、ＣＰＵの処理時間の低下を更に防
止することができる。この結果、波形の表示更新レートが向上した表示装置を提供するこ
とができる。
【００３４】
本発明に係る表示処理方法によれば、線画及び波形を同時に表示させるための同期処理
を行わずに、当該線画及び波形を同時に表示することができるので、ＣＰＵの負担を軽減
することをでき、ＣＰＵの処理時間の低下を防止することができる。この結果、波形の表
示更新レートを向上することができる。
【図面の簡単な説明】
【００３５】
【図１】第１の実施の形態に係るオシロスコープ１００の構成例を示すブロック図である。
【図２】始点終点波形データＤ２の構成例を示す説明図である。
【図３】データ処理回路３の構成例を示すブロック図である。
【図４】表示処理回路５の構成例を示すブロック図である。
【図５】Ａ，Ｂ，Ｃは、オシロスコープ１００の表示処理例を示す説明図である。
【図６】オシロスコープ１００の動作例を示すフローチャートである。
【図７】第２の実施の形態に係るオシロスコープ１００Ａの構成例を示すブロック図である。
【図８】データ処理回路３Ａの構成例を示すブロック図である。
【図９】表示処理回路５Ａの構成例を示すブロック図である。
【図１０】Ａ，Ｂ，Ｃは、オシロスコープ１００Ａの表示処理例を示す説明図である。
【図１１】オシロスコープ１００Ａの動作例を示すフローチャートである。
【図１２】従来のオシロスコープ１０の構成例を示すブロック図である。
【図１３】波形データＤ１０及びヒストグラムデータＤ１１の構成例を示す説明図である。
【図１４】Ａ，Ｂ，Ｃは、オシロスコープ１０の表示処理例を示す説明図である。
【図１５】オシロスコープ１０の動作例を示すフローチャートである。
【発明を実施するための形態】
【００３６】
以下、図面を参照しながら本発明に係る表示装置の実施形態としてオシロスコープにつ
いて説明する。
【００３７】
＜第１の実施の形態＞  
［オシロスコープ１００の構成例］  
図１に示すように、第１の実施の形態に係るオシロスコープ１００は、データ処理回路
３及び表示処理回路５で構成される。更に、オシロスコープ１００は、入力回路１、Ａ／
Ｄ変換部２、アクイジションメモリ４、グラフィックコントローラ６、ＣＰＵ７、ＬＣＤ
ドライバ８及びカラーＬＣＤ９を備える。
【００３８】
入力回路１は、オシロスコープ１００が有する入力端子ＩＮに入力されたアナログ信号
Ｄ１の電圧振幅値を所定の値に調整する。この所定の値は、Ａ／Ｄ変換部２が安定して変
換できる値である。入力回路１は、例えばアッテネータ等で構成される。
【００３９】
入力回路１にはＡ／Ｄ変換部２が接続される。Ａ／Ｄ変換部２は、入力回路１によって
電圧振幅が所定の値に調整されたアナログ信号Ｄ１を量子化してデジタル信号に変換する
。これにより、入力端子ＩＮに入力される信号がアナログ信号であっても処理することが
可能である。また、入力端子ＩＮに入力される信号がデジタル信号の場合には、Ａ／Ｄ変
換部２は不要である。詳しくは後述の第２の実施の形態で説明する。
【００４０】
Ａ／Ｄ変換部２にはデータ処理回路３が接続される。また、データ処理回路３にはアク
イジションメモリ４が接続される。データ処理回路３は、Ａ／Ｄ変換部２によって変換さ
れたデジタル信号に対して各種波形処理を行い、該各種波形処理したデジタル信号を測定
データとしてアクイジションメモリ４に格納する。そして、データ処理回路３は、アクイ
ジションメモリ４に格納された測定データを読み出して、該読み出した測定データから波
形データを生成する。
【００４１】
また、データ処理回路３は、生成した波形データから始点終点データを生成する。この
始点終点データは、波形データの特徴を示す線画の一端を始点とし、この線画の他端を終
点としたとき、線画の始点及び終点の有無が設定されたものである。この線画から例えば
ヒストグラムを生成することができる。データ処理回路３は、始点終点データを波形デー
タに付加して始点終点波形データＤ２を生成し、該生成した始点終点波形データＤ２を表
示処理回路５に出力する。
【００４２】
始点終点波形データＤ２は、例えば、図２に示すように、始点フラグ部Ｄ２１、終点フ
ラグ部Ｄ２２及びＲＧＢデータ部Ｄ２３で構成される。この始点終点波形データＤ２は、
カラーＬＣＤ９に対応する画素毎に設けられる。例えば、カラーＬＣＤ９の表示画素数が
１２８０×６４０ピクセルであれば、始点終点波形データＤ２は、１２８０×６４０個の
始点フラグ部Ｄ２１、終点フラグ部Ｄ２２及びＲＧＢデータ部Ｄ２３を有することになる
。
【００４３】
始点フラグ部Ｄ２１には「０」又は「１」が付与される。１２８０×６４０個の始点終
点波形データＤ２のうち、ある位置の１つの始点終点波形データＤ２の始点フラグ部Ｄ２
１に「１」が付与された場合、１２８０×６４０ピクセルの中の当該位置に線画の始点が
あることを示す。また、ある位置の１つの始点終点波形データＤ２の始点フラグ部Ｄ２１
に「０」が付与された場合、１２８０×６４０ピクセルの中の当該位置には線画の始点が
ないことを示す。
【００４４】
終点フラグ部Ｄ２２には「０」又は「１」が付与される。１２８０×６４０の始点終点
波形データＤ２のうち、ある位置の１つの始点終点波形データＤ２の終点フラグ部Ｄ２２
に「１」が付与された場合、１２８０×６４０ピクセルの中の当該位置に線画の終点があ
ることを示す。また、ある位置の１つの始点終点波形データＤ２の終点フラグ部Ｄ２２に
「０」が付与された場合、１２８０×６４０ピクセルの中の当該位置には線画の終点がな
いことを示す。
【００４５】
つまり、始点フラグ部Ｄ２１が「０」で終点フラグ部Ｄ２２が「０」の場合には、当該
位置に始点及び終点が存在しないことを示す。図２で示したように、始点フラグ部Ｄ２１
が「１」で終点フラグ部Ｄ２２が「０」の場合には、当該位置に始点が存在することを示
す。始点フラグ部Ｄ２１が「０」で終点フラグ部Ｄ２２が「１」の場合には、当該位置に
終点が存在することを示す。
【００４６】
図１に戻って、ＣＰＵ７にはグラフィックコントローラ６が接続される。グラフィック
コントローラ６にはバックグラウンド、グリッド、テキスト及びカーソル等で構成される
背景データＤ３が記憶され、ＣＰＵ７は、グラフィックコントローラ６を制御して、表示
処理回路５に背景データＤ３を出力するようになされる。
【００４７】
データ処理回路３及びグラフィックコントローラ６には表示処理回路５が接続される。
表示処理回路５は、データ処理回路３によって出力された始点終点波形データＤ２に基づ
いてラスタスキャンを行い、アナログ波形及びヒストグラムを有する画像データを生成す
る。例えば、このラスタスキャンでは、１２８０×６４０ピクセルが順に走査される。表
示処理回路５は、１２８０×６４０ピクセル中の所定の位置にある始点終点波形データＤ
２を走査して、図２に示した始点フラグ部Ｄ２１の「１」や終点フラグ部Ｄ２２の「１」
を検出し、始点及び終点を結んで線画を生成する。また、表示処理回路５は、ラスタスキ
ャンによってＲＧＢデータ部Ｄ２３に基づくアナログ波形を生成する。
【００４８】
表示処理回路５は、生成した画像データとグラフィックコントローラ６によって出力さ
れた背景データＤ３とを合成して合成画像信号Ｄ４を生成する。そして、表示処理回路５
は、生成した合成画像信号Ｄ４をＬＣＤドライバ８に出力する。
【００４９】
表示処理回路５にはＬＣＤドライバ８が接続される。ＬＣＤドライバ８は、表示処理回
路５によって出力された合成画像信号Ｄ４に基づいてＲＧＢ信号を生成して、該生成した
ＲＧＢ信号をカラーＬＣＤ９に出力し、このカラーＬＣＤ９を駆動する。
【００５０】
ＬＣＤドライバ８にはカラーＬＣＤ９が接続される。カラーＬＣＤ９は、表示手段の一
例であり、液晶、カラーフィルタ及び薄膜トランジスタ等で構成され、Ｒ（赤）、Ｇ（緑
）、Ｂ（青）の三原色を表示するディスプレイである。カラーＬＣＤ９は、ＬＣＤドライ
バ８によって出力されたＲＧＢ信号に基づいて、始点終点波形データＤ２（図５Ａ参照）
をラスタスキャンしてアナログ波形及びヒストグラムを有する画像データと背景データＤ
３（図５Ｂ参照）とが重ね合わされた合成画像信号Ｄ４（図５Ｃ参照）を表示する。
【００５１】
［データ処理回路３の構成例］  
次に、第１の実施の形態に係るデータ処理回路３について説明する。図３に示すように
、データ処理回路３は、データ処理部３１、度数分布生成部３２、スケーリング部３３及
び始点終点設定部３４で構成される。
【００５２】
データ処理部３１は、Ａ／Ｄ変換部２から出力されたデジタル信号に対してサンプリン
グやアベレージング等の波形処理を行って、この処理結果を測定データとしてアクイジシ
ョンメモリ４に格納する。そして、データ処理部３１は、アクイジションメモリ４に格納
された測定データを読み出して、該読み出した測定データから波形データを生成する。更
に、データ処理部３１は、生成した波形データを度数分布生成部３２に出力する。
【００５３】
データ処理部３１には度数分布生成部３２が接続される。度数分布生成部３２は、デー
タ処理部３１によって出力された波形データが有するアナログ波形の振幅値の頻度を計測
する。このアナログ波形の振幅値の頻度は、アナログ信号Ｄ１の特徴である。度数分布生
成部３２は、計測したアナログ波形の振幅値の頻度に関する度数分布を作成してスケーリ
ング部３３に出力する。
【００５４】
度数分布生成部３２にはスケーリング部３３が接続される。スケーリング部３３は、度
数分布生成部３２によって出力された度数分布をカラーＬＣＤ９に表示できる大きさにな
るようにスケーリングを行う。スケーリング部３３は、スケーリングした度数分布を始点
終点設定部３４に出力する。
【００５５】
スケーリング部３３には始点終点設定部３４が接続される。始点終点設定部３４は、ス
ケーリング部３３によって出力された度数分布に基づいて始点終点データを生成する。つ
まり、アナログ波形の振幅値の頻度に対応した長さを有する線画について、始点終点設定
部３４は、その線画の始点及び終点の有無を設定して始点終点データを生成する。そして
、始点終点設定部３４は、始点終点データを波形データに付加して始点終点波形データＤ
２を生成し、該生成した始点終点波形データＤ２を表示処理回路５に出力する。
【００５６】
［表示処理回路５の構成例］  
次に、第１の実施の形態に係る表示処理回路５について説明する。図４に示すように、
表示処理回路５は、画像メモリ５１、波形ＲＧＢデータ格納部５２、波形・ヒストグラム
処理部５３及び表示画面合成処理部５４で構成される。
【００５７】
画像メモリ５１は、データ処理回路３によって出力された始点終点波形データＤ２のう
ち波形データをカラーＬＣＤ９の表示分解能（例えば、１２８０×６４０ピクセル）に応
じたピクセル単位で色なしの波形データとしてマッピングする。なお、図４では、単一チ
ャネルの波形データを示しているが、複数のチャネル、例えば４チャネル等の波形データ
であっても良い。画像メモリ５１は、マッピングした波形データと始点終点データとを波
形・ヒストグラム処理部５３に出力する。
【００５８】
画像メモリ５１には波形・ヒストグラム処理部５３が接続される。また、波形・ヒスト
グラム処理部５３には波形ＲＧＢデータ格納部５２が接続される。波形ＲＧＢデータ格納
部５２は、Ｒ（赤色）、Ｇ（緑色）、Ｂ（青色）の色に関するデータが格納される。波形
ＲＧＢデータ格納部５２は、図２で示した始点終点波形データＤ２が有するＲＧＢデータ
部Ｄ２３の値に基づいて、当該波形ＲＧＢデータ格納部５２に格納される色に関するデー
タを波形・ヒストグラム処理部５３に出力する。
【００５９】
波形・ヒストグラム処理部５３は、画像メモリ５１から出力された波形データ及び始点
終点データをラスタスキャンしてアナログ波形及びヒストグラムを生成する。そして、波
形・ヒストグラム処理部５３は、波形ＲＧＢデータ格納部５２から出力された色に関する
データに基づいて、ラスタスキャンして生成したアナログ波形及びヒストグラムに色を付
与して、アナログ波形及びヒストグラムを有する画像データを生成する。そして、波形・
ヒストグラム処理部５３は、生成した画像データを表示画面合成処理部５４に出力する。
【００６０】
波形・ヒストグラム処理部５３には表示画面合成処理部５４が接続される。表示画面合
成処理部５４は、波形・ヒストグラム処理部５３から出力された画像データと、グラフィ
ックコントローラ６から出力された背景データＤ３とを１ピクセル毎に合成して合成画像
信号Ｄ４を生成する。表示画面合成処理部５４は、生成した合成画像信号Ｄ４をＬＣＤド
ライバ８に出力する。
【００６１】
［オシロスコープ１００の表示処理例］  
次に、オシロスコープ１００の表示処理例について説明する。図５Ａに示すように、デ
ータ処理回路３は、Ａ／Ｄ変換部２によって出力されたデジタル信号から、始点９０、終
点９１及びアナログ波形９２に関するデータが格納される始点終点波形データＤ２を生成
する。図５Ａでは、始点９０を白丸で表し、終点９１を黒丸で表している。
【００６２】
図２で示した始点終点波形データＤ２で始点９０、終点９１及びアナログ波形を表現す
ると、始点９０は、「１、０、Ｒ、Ｇ、Ｂ」となり、終点９１は、「０、１、Ｒ、Ｇ、Ｂ
」となり、アナログ波形９２は、「０、０、Ｒ、Ｇ、Ｂ」となる（Ｒ、Ｇ、Ｂは所定の値
である）。データ処理回路３は、このような始点９０、終点９１及びアナログ波形９２を
有する始点終点波形データＤ２を表示処理回路５に出力する。
【００６３】
図５Ｂに示すように、グラフィックコントローラ６は、背景９３を有する背景データＤ
３を生成する。グラフィックコントローラ６は、背景データＤ３を表示処理回路５に出力
する。
【００６４】
図５Ｃに示すように、表示処理回路５は、データ処理回路３から出力された始点終点波
形データＤ２をラスタスキャンして、アナログ波形９２及びヒストグラム９４を生成する
。ヒストグラム９４は、データ処理回路３から出力された始点終点波形データＤ２の始点
９０と終点９１とを結んで得られる線画で生成される。また、表示処理回路５は、グラフ
ィックコントローラ６から出力された背景データＤ３の背景９３と、生成したアナログ波
形９２及びヒストグラム９４とを合成して合成画像信号Ｄ４を生成する。カラーＬＣＤ９
は、図５Ｃに示すように合成画像信号Ｄ４をアナログ波形９２、背景９３及びヒストグラ
ム９４として表示する。
【００６５】
［オシロスコープ１００の動作例］  
次に、オシロスコープ１００の動作例についてフローチャートを用いて説明する。図６
に示すように、ステップＳＴ１では、アナログ信号Ｄ１が入力回路１に入力されて、当該
入力回路１によって当該アナログ信号Ｄ１の電圧振幅が調整される。
【００６６】
ステップＳＴ２に移行して、電圧振幅が調整されたアナログ信号Ｄ１は、Ａ／Ｄ変換部
２に入力される。Ａ／Ｄ変換部２に入力されたアナログ信号Ｄ１は、Ａ／Ｄ変換部２によ
って量子化されてデジタル信号に変換される。
【００６７】
ステップＳＴ３に移行して、Ａ／Ｄ変換部２で変換されたデジタル信号は、データ処理
回路３に入力される。デジタル信号は、データ処理回路３によってサンプリングやアベレ
ージング等、各種波形処理される。
【００６８】
ステップＳＴ４に移行して、データ処理回路３は、各種波形処理したデジタル信号で、
アナログ信号Ｄ１の特徴を示す線画の始点及び終点を設定する。この線画は、アナログ信
号Ｄ１の振幅値の頻度の度数に対応した長さを有するものである。そして、データ処理回
路３は、デジタル信号に始点及び終点を付加した始点終点波形データＤ２を生成する。
【００６９】
ステップＳＴ５に移行して、データ処理回路３で生成された始点終点波形データＤ２は
、表示処理回路５に入力される。表示処理回路５は、この始点終点波形データＤ２に基づ
いて図５Ｃで示したアナログ波形９２及びヒストグラム９４を生成する。
【００７０】
ステップＳＴ６に移行して、表示処理回路５は、生成したアナログ波形９２及びヒスト
グラム９４と、グラフィックコントローラ６から出力された背景データＤ３の背景９３と
を合成して合成画像信号Ｄ４を生成する。
【００７１】
ステップＳＴ７に移行して、表示処理回路５で生成された合成画像信号Ｄ４は、ＬＣＤ
ドライバ８に入力される。ＬＣＤドライバ８は、入力された合成画像信号Ｄ４に基づいて
ＲＧＢ信号を生成する。ＲＧＢ信号がカラーＬＣＤ９に入力されることで、当該カラーＬ
ＣＤ９にアナログ波形９２、背景９３及びヒストグラム９４を表示する。
【００７２】
このように、第１の実施の形態に係るオシロスコープ１００によれば、アナログ波形を
表示するためのアナログ信号Ｄ１の特徴を示す線画の一端を始点とし、この線画の他端を
終点としたとき、データ処理回路３は、アナログ信号Ｄ１の特徴であるアナログ波形の振
幅値の頻度を計測し、該計測した頻度の度数に対応した長さを有する線画の始点及び終点
の有無を設定して始点終点データを生成する。
【００７３】
そして、データ処理回路３は、生成した始点終点データを波形データに付加して始点終
点波形データＤ２を生成する。表示処理回路５は、始点終点波形データＤ２から始点と終
点とを結んで得られる線画でヒストグラムを生成し、かつ、始点終点波形データＤ２から
アナログ波形を生成する。
【００７４】
これにより、ヒストグラム及びアナログ波形を同時に表示させるための同期処理を行わ
ずに、当該ヒストグラムとアナログ波形とを同時に表示することができるようになる。こ
の結果、ＣＰＵ７の負担を軽減することができ、ＣＰＵ７の処理時間の低下を防止するこ
とができる。また、従来のデータ処理回路及びＣＰＵ間のバスを削除することができるの
で、ＣＰＵ７の処理時間の低下を更に防止することができる。この結果、波形の表示更新
レートが向上したオシロスコープを提供することができる。
【００７５】
なお、第１の実施の形態では、表示手段としてＲＧＢの３色を表示するカラーＬＣＤで
説明したが、これに限定されず、１色だけを表示するモノクロＬＣＤであっても構わない
。また、表示手段は、カラーＬＣＤ又はモノクロＬＣＤではなく、プラズマディスプレイ
、エレクトロルミネッセンスディスプレイ、フィールドエミッションディスプレイ及びＣ
ＲＴ等の電子ディスプレイでも良い。
【００７６】
＜第２の実施の形態＞  
第２の実施の形態では、ロジック信号を入力してバンドル表示するオシロスコープ１０
０Ａについて説明する。前述の実施の形態と同じ名称及び符号のものは同じ機能を有する
ので、その説明を省略する。
【００７７】
［オシロスコープ１００Ａの構成例］  
図７に示すように、第２の実施の形態に係るオシロスコープ１００Ａは、データ処理回
路３Ａ及び表示処理回路５Ａで構成される。更に、オシロスコープ１００Ａは、入力回路
１Ａ、アクイジションメモリ４、グラフィックコントローラ６、ＣＰＵ７、ＬＣＤドライ
バ８及びカラーＬＣＤ９を備える。
【００７８】
入力回路１Ａは、オシロスコープ１００Ａが有する入力端子ＩＮに入力された複数のロ
ジック信号Ｄ５を受信し、予め設定される閾値に基づいて二値化等の処理を行う。入力回
路１Ａは、二値化処理した複数のロジック信号をデータ処理回路３Ａに出力する。
【００７９】
入力回路１Ａにはデータ処理回路３Ａが接続される。また、データ処理回路３Ａにはア
クイジションメモリ４が接続される。データ処理回路３Ａは、入力回路１Ａによって二値
化処理された複数のロジック信号に対して各種波形処理を行い、該各種波形処理した複数
のロジック信号を複数の測定データとしてアクイジションメモリ４に格納する。そして、
データ処理回路３Ａは、アクイジションメモリ４に格納された複数の測定データを読み出
して、これらの測定データを束ねて、例えば１６進数表示処理を行い、バンドルデータＤ
７を生成する。データ処理回路３Ａは、生成したバンドルデータＤ７をＣＰＵ７に出力す
る。
【００８０】
また、データ処理回路３Ａは、束ねられた測定データから始点終点データを生成する。
この始点終点データは、測定データの特徴を示す線画の一端を始点とし、この線画の他端
を終点としたとき、線画の始点及び終点の有無が設定されたものである。この線画から例
えばバンドル枠を生成することができる。ここで、バンドル枠とは、カラーＬＣＤ９で表
示されるバンドル値を囲う枠のことをいう。データ処理回路３Ａは、始点終点データを測
定データに付加して始点終点波形データＤ６を生成し、該生成した始点終点波形データＤ
６を表示処理回路５Ａに出力する。
【００８１】
データ処理回路３ＡにはＣＰＵ７が接続される。ＣＰＵ７は、データ処理回路３Ａによ
って出力されたバンドルデータＤ７を受信し、このバンドルデータＤ７に基づいてグラフ
ィックコントローラ６に対してバンドル表示位置（図１０Ｂの下側）にバンドル値を書き
込む制御を行う。
【００８２】
ＣＰＵ７にはグラフィックコントローラ６が接続される。グラフィックコントローラ６
にはバックグラウンド、グリッド、テキスト及びカーソル等で構成される背景データが予
め記憶される。グラフィックコントローラ６は、この背景データと、ＣＰＵ７によって書
き込まれたバンドル値を含むデータとを併合してバンドル背景データＤ８を生成する。そ
して、グラフィックコントローラ６は、バンドル背景データＤ８を表示処理回路５Ａに出
力する。
【００８３】
データ処理回路３Ａ及びグラフィックコントローラ６には表示処理回路５Ａが接続され
る。表示処理回路５Ａは、データ処理回路３Ａによって出力された始点終点波形データＤ
６に基づいてラスタスキャンを行い、ロジック信号及びバンドル枠を有する画像データを
生成する。表示処理回路５Ａは、生成した画像データとグラフィックコントローラ６によ
って出力されたバンドル背景データＤ８とを合成して合成画像信号Ｄ９を生成する。そし
て、表示処理回路５Ａは、生成した合成画像信号Ｄ９をＬＣＤドライバ８に出力する。
【００８４】
表示処理回路５ＡにはＬＣＤドライバ８が接続される。ＬＣＤドライバ８は、表示処理
回路５Ａによって出力された合成画像信号Ｄ９に基づいてＲＧＢ信号を生成して、該生成
したＲＧＢ信号をカラーＬＣＤ９に出力し、このカラーＬＣＤ９を駆動する。
【００８５】
ＬＣＤドライバ８にはカラーＬＣＤ９が接続される。カラーＬＣＤ９は、ＬＣＤドライ
バ８によって出力されたＲＧＢ信号に基づいて、始点終点波形データＤ６（図１０Ａ参照
）をラスタスキャンしてロジック信号及びバンドル枠とバンドル背景データＤ８（図１０
Ｂ参照）とが重ね合わされた合成画像信号Ｄ９（図１０Ｃ参照）を表示する。
【００８６】
［データ処理回路３Ａの構成例］  
次に、第２の実施の形態に係るデータ処理回路３Ａについて説明する。図８に示すよう
に、データ処理回路３Ａは、データ処理部３１Ａ、変化点検出部３５及び始点終点設定部
３４で構成される。
【００８７】
データ処理部３１Ａは、入力回路１Ａから出力された二値化されたロジック信号に対し
てサンプリングやアベレージング等の波形処理を行って、この処理結果を測定データとし
てアクイジションメモリ４に格納する。そして、データ処理部３１Ａは、アクイジション
メモリ４に格納された測定データを読み出して、該読み出した測定データを束ねて、それ
をロジックデータとして変化点検出部３５に出力する。また、データ処理部３１Ａは、測
定データからバンドル値を算出し、このバンドル値をバンドルデータＤ７としてＣＰＵ７
に出力する。
【００８８】
データ処理部３１Ａには変化点検出部３５が接続される。変化点検出部３５は、データ
処理部３１Ａによって出力されたロジックデータが有するロジック信号のレベルが変化す
る位置である変化点を検出する。変化点検出部３５は、検出した変化点を検出結果として
始点終点設定部３４に出力する。
【００８９】
変化点検出部３５には始点終点設定部３４が接続される。始点終点設定部３４は、変化
点検出部によって出力された検出結果に基づいて始点終点データを生成する。つまり、始
点終点設定部３４は、バンドル枠の線画の始点及び終点の有無を設定して始点終点データ
を生成する。そして、始点終点設定部３４は、始点終点データをロジックデータに付加し
て始点終点波形データＤ６を生成し、該生成した始点終点波形データＤ６を表示処理回路
５Ａに出力する。
【００９０】
［表示処理回路５Ａの構成例］  
次に、第２の実施の形態に係る表示処理回路５Ａについて説明する。図９に示すように
、表示処理回路５Ａは、画像メモリ５１、波形ＲＧＢデータ格納部５２、波形・バンドル
枠処理部５３Ａ及び表示画面合成処理部５４で構成される。
【００９１】
画像メモリ５１は、データ処理回路３Ａによって出力された始点終点波形データＤ６の
うちロジックデータをカラーＬＣＤ９の表示分解能に応じたピクセル単位で色なしのロジ
ックデータとしてマッピングする。画像メモリ５１は、マッピングしたロジックデータと
始点終点データとを波形・バンドル枠処理部５３Ａに出力する。
【００９２】
画像メモリ５１には波形・バンドル枠処理部５３Ａが接続される。また、波形・バンド
ル枠処理部５３Ａには波形ＲＧＢデータ格納部５２が接続される。波形ＲＧＢデータ格納
部５２は、Ｒ（赤色）、Ｇ（緑色）、Ｂ（青色）の色に関するデータが格納される。波形
ＲＧＢデータ格納部５２は、始点終点波形データＤ６が有するＲＧＢデータの値に基づい
て、当該波形ＲＧＢデータ格納部５２に格納される色のデータを波形・バンドル枠処理部
５３Ａに出力する。
【００９３】
波形・バンドル枠処理部５３Ａは、画像メモリ５１から出力されたロジックデータ及び
始点終点データをラスタスキャンしてロジック信号及びバンドル枠を生成すると共に、波
形ＲＧＢデータ格納部５２から出力された色のデータに基づいてラスタスキャンして得ら
れたロジック信号及びバンドル枠に色を付与して、当該ロジック信号及びバンドル枠を有
する画像データを生成する。そして、波形・バンドル枠処理部５３Ａは、生成した画像デ
ータを表示画面合成処理部５４に出力する。
【００９４】
波形・バンドル枠処理部５３Ａには表示画面合成処理部５４が接続される。表示画面合
成処理部５４は、波形・バンドル枠処理部５３Ａから出力された画像データと、グラフィ
ックコントローラ６から出力されたバンドル背景データＤ８とを１ピクセル毎に合成して
合成画像信号Ｄ９を生成する。表示画面合成処理部５４は、生成した合成画像信号Ｄ９を
ＬＣＤドライバ８に出力する。
【００９５】
［オシロスコープ１００Ａの表示処理例］  
次に、オシロスコープ１００Ａの表示処理例について説明する。図１０Ａに示すように
、データ処理回路３Ａは、入力回路１Ａによって出力されたロジック信号から、始点９５
、終点９６及びロジック信号９７に関するデータが格納される始点終点波形データＤ６を
生成する。図１０Ａでは、始点９５を白丸で表し、終点９６を黒丸で表している。データ
処理回路３Ａは、この始点終点波形データＤ６を表示処理回路５Ａに出力する。
【００９６】
図１０Ｂに示すように、グラフィックコントローラ６は、バンドル値９８を有するバン
ドル背景データＤ８を生成する。グラフィックコントローラ６は、バンドル背景データＤ
８を表示処理回路５Ａに出力する。
【００９７】
図１０Ｃに示すように、表示処理回路５Ａは、データ処理回路３Ａから出力された始点
終点波形データＤ６をラスタスキャンして、ロジック信号９７及びバンドル枠９９を生成
する。バンドル枠９９は、始点９５と終点９６とを結んで得られる線画、始点９５から所
定の画面端までを結んで得られる線画及び終点９６だけを塗りつぶして得られる線画で生
成される。例えば、図１０Ｃでは、バンドル枠９９の縦の線画は、終点９６だけを塗りつ
ぶして得るようにし、バンドル枠９９の最上位にある横の線画及び最下位にある横の線画
は、始点９５から所定の画面端までを結んで得るようにし、バンドル値９８の「Ｂ」の網
がけ部分は、始点９５と終点９６とを結んで得るようにしている。なお、前述の第１の実
施の形態同様に始点９５と終点９６とを結んで得られる線画のみでバンドル枠９９を生成
しても構わない。
【００９８】
表示処理回路５Ａは、グラフィックコントローラ６から出力されたバンドル背景データ
Ｄ８のバンドル値９８とロジック信号９７及びバンドル枠９９とを合成して合成画像信号
Ｄ９を生成する。カラーＬＣＤ９は、図１０Ｃに示すように合成画像信号Ｄ９をロジック
信号９７、バンドル値９８及びバンドル枠９９として表示する。
【００９９】
［オシロスコープ１００Ａの動作例］  
次に、オシロスコープ１００Ａの動作例についてフローチャートを用いて説明する。図
１１に示すように、ステップＳＴ１１では、ロジック信号Ｄ５が入力回路１Ａに入力され
て、当該入力回路１Ａによって当該ロジック信号Ｄ５が二値化処理される。
【０１００】
ステップＳＴ１２に移行して、二値化処理されたロジック信号は、データ処理回路３Ａ
に入力される。このロジック信号は、データ処理回路３Ａによってサンプリングやアベレ
ージング等、各種波形処理される。
【０１０１】
ステップＳＴ１３に移行して、データ処理回路３Ａは、各種波形処理したロジック信号
から当該ロジック信号の特徴を示す線画の始点及び終点を設定する。この線画は、ロジッ
ク信号のレベルが変化する位置である変化点に基づいて生成されるものである。そして、
データ処理回路３Ａは、ロジック信号に始点及び終点を付加した始点終点波形データＤ６
を生成する。
【０１０２】
ステップＳＴ１４に移行して、データ処理回路３Ａは、各種波形処理したロジック信号
からバンドル値を算出してＣＰＵ７に出力する。
【０１０３】
ステップＳＴ１５に移行して、データ処理回路３Ａで生成された始点終点波形データＤ
６は、表示処理回路５Ａに入力される。表示処理回路５Ａは、この始点終点波形データＤ
６に基づいて図１０Ｃで示したロジック信号９７及びバンドル枠９９を生成する。
【０１０４】
ステップＳＴ１６に移行して、表示処理回路５Ａは、生成したロジック信号９７及びバ
ンドル枠９９と、グラフィックコントローラ６から出力されるバンドル背景データＤ８の
バンドル値９８とを合成して合成画像信号Ｄ９を生成する。
【０１０５】
ステップＳＴ１７に移行して、表示処理回路５Ａで生成された合成画像信号Ｄ９は、Ｌ
ＣＤドライバ８に入力される。ＬＣＤドライバ８は、入力された合成画像信号Ｄ９に基づ
いてＲＧＢ信号を生成する。ＲＧＢ信号がカラーＬＣＤ９に入力されることで、当該カラ
ーＬＣＤ９にロジック信号９７、バンドル値９８及びバンドル枠９９を表示する。
【０１０６】
このように、第２の実施の形態に係るオシロスコープ１００Ａによれば、ロジック信号
を入力してバンドル表示機能を有する場合において、ロジック信号のレベルの変化点を検
出して、該検出結果からバンドル枠を生成する。
【０１０７】
これにより、ロジック信号、バンドル値及びバンドル枠を同時に表示させるための同期
処理を行わずに、当該ロジック信号、バンドル値及びバンドル枠を同時に表示することが
できるようになる。この結果、ＣＰＵ７の負担を軽減することができ、ＣＰＵ７の処理時
間の低下を防止することができ、波形の表示更新レートが向上したオシロスコープを提供
することができる。
【０１０８】
なお、第２の実施の形態では、入力回路１Ａを設けてロジック信号Ｄ５のみを入力する
ようにしたが、前述の第１の実施の形態で説明した入力回路１及びＡ／Ｄ変換部２を設け
て、アナログ信号Ｄ１を入力できるようにしても良い。これにより、アナログ信号Ｄ１及
びロジック信号Ｄ５の両方を処理するオシロスコープを提供することができる。
【符号の説明】
【０１０９】
１，１Ａ，１１・・・入力回路、２，１２・・・Ａ／Ｄ変換部、３，３Ａ，１３・・・
データ処理回路、４，１４・・・アクイジションメモリ、５，５Ａ，１５・・・表示処理
回路、６，１６・・・グラフィックコントローラ、７，１７・・・ＣＰＵ、８，１８・・
・ＬＣＤドライバ、９，１９・・・カラーＬＣＤ、１０，１００，１００Ａ・・・オシロ
スコープ、３１，３１Ａ・・・データ処理部、３２・・・度数分布生成部、３３・・・ス
ケーリング部、３４・・・始点終点設定部、３５・・・変化点検出部、５１・・・画像メ
モリ、５２・・・波形ＲＧＢデータ格納部、５３・・・波形・ヒストグラム処理部、５３
Ａ・・・波形・バンドル枠処理部、５４・・・表示画面合成処理部、９０，９５・・・始
点、９１，９６・・・終点、９２・・・アナログ波形、９３・・・背景、９４・・・ヒス
トグラム、９７・・・ロジック信号、９８・・・バンドル値、９９・・・バンドル枠
【図１】
2011252889.tif 000003
【図２】
2011252889.tif 000004
【図３】
2011252889.tif 000005
【図４】
2011252889.tif 000006
【図５】
2011252889.tif 000007
【図６】
2011252889.tif 000008
【図７】
2011252889.tif 000009
【図８】
2011252889.tif 000010
【図９】
2011252889.tif 000011
【図１０】
2011252889.tif 000012
【図１１】
2011252889.tif 000013
【図１２】
2011252889.tif 000014
【図１３】
2011252889.tif 000015
【図１４】
2011252889.tif 000016
【図１５】
2011252889.tif 000017